(57)【要約】【課題】一対のフレームを簡単に分離できるようにする。【解決手段】嵌め合わせ自在な一対のフレーム１を設け、嵌め合わせた一対のフレーム１間に収容物本体Ｓが収容してあるフレーム付き収容物において、一対のフレーム１どうしの嵌め合わせ状態を解除操作自在な紐状体５を、両フレーム１どうしの合わせ部Ｔ間に主要部が介在する状態で、且つ、端部がフレーム１の径方向で相対する箇所で合わせ部Ｔから各別に外部に露出する状態に設けてある。【選択図】        図１
2004225962.tif 000002
【特許請求の範囲】
【請求項１】
嵌め合わせ自在な一対のフレームを設け、嵌め合わせた前記一対のフレーム間に収容物本体が収容してあるフレーム付き収容物であって、
前記一対のフレームどうしの嵌め合わせ状態を解除操作自在な紐状体を、両フレームどうしの合わせ部間に主要部が介在する状態で、且つ、端部が前記フレームの径方向で相対する箇所で前記合わせ部から各別に外部に露出する状態に設けてあるフレーム付き収容物。
【請求項２】
前記一対のフレームは、互いの合わせ部に、係合連結部を設けてあり、前記紐状体は、前記係合連結部の係合をも解除自在に形成してある請求項１に記載のフレーム付き収容物。
【請求項３】
前記紐状体は、少なくとも一対設けてあり、それら紐状体の一端部は、前記収容物本体に各別に取り付けてある請求項１又は２に記載のフレーム付き収容物。
【請求項４】
前記収容物本体は、板状のフィルタ本体であり、前記一対のフレームは、前記フィルタ本体の縁部を表裏から挟み込み自在に形成してある請求項１〜３の何れか一項に記載のフレーム付き収容物。
【発明の詳細な説明】
【０００１】
【発明の属する技術分野】
本発明は、嵌め合わせ自在な一対のフレームを設け、嵌め合わせた前記一対のフレーム間に収容物本体が収容してあるフレーム付き収容物に関する。
【０００２】
【従来の技術】
従来、この種のフレーム付き収容物としては、空調用フィルタを例に挙げて説明すると、図９に示すように、空調ダクトの流路いっぱいに設置できるように構成されたものがあり、詳しくは、シート状の濾材２ａを屏風状に折り曲げて矩形板形状に成形したフィルタ本体（収容物本体に相当）２と、このフィルタ本体２の外周縁部を厚み方向に挟み込む状態に設けられた一対の金属フレーム１Ａ，１Ｂとを設けて構成してあるものがあった。
この金属フレーム１Ａ，１Ｂは、図に示すように、共に、環状に形成してあり、フィルタ本体２の端面に重なる状態に嵌合する筒部１Ａａ，１Ｂａと、筒部の端部からフランジ状に内側へ屈曲した額縁部１Ａｂ，１Ｂｂとを備え、一方の金属フレーム１Ａの筒部１Ａａは、他方の金属フレーム１Ｂの筒部１Ｂａに外嵌するように寸法設定してある。そして、互いの筒部１Ａａ，１Ｂａどうしの重なり部に、両者が嵌合した状態で外れ止めを行う係合凸部３と係合凹部４とを振り分けて設けてある。
尚、この様な従来技術に関しては、先行技術調査を行うまでもなく、当業者の間で広く知られているものであることから、先行技術文献は示していない。
【０００３】
【発明が解決しようとする課題】
上述した従来のフレーム付き収容物によれば、例えば、フレームから収容物本体を分離するような場合、即ち、例に挙げた空調用フィルタにおいては、金属フレームから、フィルタ本体を取り外して、交換やメンテナンス等を行う場合、両金属フレームどうしの係合を解除して分離する必要があるが、この操作が、非常にやり難く、手間が掛かると言った問題点がある。
特に、フレームに取っ手等を設置できないような場合には、手を掛ける場所がなく、両フレームを取り外すのは容易なことではなかった。
【０００４】
従って、本発明の目的は、上記問題点を解消し、一対のフレームを簡単に分離できるフレーム付き収容物を提供するところにある。
【０００５】
【課題を解決するための手段】
請求項１の発明の特徴構成は、嵌め合わせ自在な一対のフレームを設け、嵌め合わせた前記一対のフレーム間に収容物本体が収容してあるフレーム付き収容物において、前記一対のフレームどうしの嵌め合わせ状態を解除操作自在な紐状体を、両フレームどうしの合わせ部間に主要部が介在する状態で、且つ、端部が前記フレームの径方向で相対する箇所で前記合わせ部から各別に外部に露出する状態に設けてあるところにある。
【０００６】
請求項１の発明の特徴構成によれば、フレームどうしの合わせ部から外部に端部が露出する状態に嵌め合わせ解除用の紐状体を設けてあるから、それら端部を解除方向に操作（例えば、引っ張る）することで、合わせ部間に位置した紐状体が両フレームどうしを離間させるように作用し、一対のフレームどうしを簡単に外すことができる。
また、紐状体は、フレームの径方向で相対する箇所に端部が露出するように設けてあるから、両フレームの径方向での相対する箇所に解除力を作用させることが可能となり、両フレームどうしの相対姿勢を平行に保ったままで外すことができる。従って、例えば、茶筒のように極めて密な状態に嵌合している嵌合面を備えたフレームどうしを取り外す場合でも、両フレームを平行に引き離し、嵌合を解除することが簡単に実施できるようになる。この様な作用は、操作部が紐状体であるが故に、例えば、引っ張るような操作をした場合、その引っ張り方向に即座に沿い易く、しかも、フレームの径方向での相対する箇所に、解除操作部となる紐状体の端部が位置させてあるから、両解除操作部を引っ張れば、その張力は、両解除操作部間において同じ（又はほぼ同じ）ように作用し、その結果、両フレームどうしに偏芯の無い状態で解除方向の力が働いて、相対姿勢を平行に保ったままで外すことができるわけである。
更には、紐状体は、フレームに沿った姿勢に馴染ませ易いと共に、紐状体の主要部は合わせ部間に位置しているからから、フレームの外部に堅い突起物等が飛び出すこともなく、例えば、フィルタである場合には、ダクトの該当部に設置する際に、引っ掛かったりせずスムースに設置操作を行うことが可能となる。
【０００７】
請求項２の発明の特徴構成は、前記一対のフレームは、互いの合わせ部に、係合連結部を設けてあり、前記紐状体は、前記係合連結部の係合をも解除自在に形成してあるところにある。
【０００８】
請求項２の発明の特徴構成によれば、請求項１の発明による作用効果を叶えることができるのに加えて、通常の状態（両フレーム間に収容物本体が位置する状態）においては、係合連結部どうしの係合によって両フレームどうしが外れ難く、確実に収容物本体をホールドすることができながら、両フレームどうしを外す場合には、上述のような簡単な解除操作で、係合連結部の係合を解除することが可能となる。即ち、両フレームどうしが不用意には外れ難く、外す操作を行えば、簡単に外すことができるようになり、取扱性を向上させることが可能となる。
【０００９】
請求項３の発明の特徴構成は、前記紐状体は、少なくとも一対設けてあり、それら紐状体の一端部は、前記収容物本体に各別に取り付けてあるところにある。
【００１０】
請求項３の発明の特徴構成によれば、請求項１又は２の発明による作用効果を叶えることができるのに加えて、上述のようなフレームどうしの解除操作を行った後、紐状体を持ったまま、収容物本体をフレームから取り出すことが可能となる。即ち、紐状体によって、両フレームどうしの解除操作と共に、収容物本体の取り出し操作をも続けて行うことが出来る。これは、例えば、フィルタである場合には、フィルタ本体の交換作業を、手を汚さずにしかも迅速に実施することが可能となり、作業効率の向上を図ることが可能となる。
【００１１】
請求項４の発明の特徴構成は、前記収容物本体は、板状のフィルタ本体であり、前記一対のフレームは、前記フィルタ本体の縁部を表裏から挟み込み自在に形成してあるところにある。
【００１２】
請求項４の発明の特徴構成によれば、請求項１〜３の何れかの発明による作用効果を叶えることができるのに加えて、フレームによってフィルタ本体の外形を保持することができ、ダクト等の設置対象部への着脱操作を実施し易くすることができる。また、フィルタ本体を取り替えたりメンテナンスする際に、フィルタ表面が汚れていても、その部分に触れることなく上述のようなフレーム解除操作を行ったり、フィルタ本体の取り外し操作を行うことが可能となり、フィルタメンテナンスを清潔に実施することができる。
しかも、それら夫々の操作は、前述のように迅速に行うことができるので、例えば、フィルタ取付対象が大規模な建物で、多数のフィルタをメンテナンスするような場合でも、極めて能率的に且つ短期間の内にメンテナンス作業を実施することが可能となる。
【００１３】
【発明の実施の形態】
以下に本発明の実施の形態を図面に基づいて説明する。尚、図面において従来例と同一の符号で表示した部分は、同一又は相当の部分を示している。
【００１４】
図１〜４は、本発明のフレーム付き収容物Ｆの一実施形態である空調用フィルタ（以後、単にフィルタと言う）Ｆ１を示すものである。
前記フィルタＦ１は、図には示さないが、例えば、ダクトの流路内に位置させて、流路を流れる空気の清浄化を図る等の用途に用いることができる。
前記フィルタＦ１は、嵌め合わせ自在な一対のフレーム１を設け、嵌め合わせた前記一対のフレーム１間に板状に形成されたフィルタ本体（収容物本体Ｓに相当）２を収容して構成してある。
【００１５】
前記フレーム１は、前記フィルタ本体２の外周縁部を厚み方向に挟み込む状態に設けられた一対の金属製フレーム１Ａ，１Ｂで構成してある。
両フレーム１は、図に示すように、共に、環状に形成してあり、フィルタ本体２の端面に重なる状態に嵌合する筒部（合わせ部Ｔに相当）１Ａａ，１Ｂａと、筒部１Ａａ，１Ｂａの端部からフランジ状に内側へ屈曲した額縁部１Ａｂ，１Ｂｂとを備え、一方の金属フレーム１Ａの筒部１Ａａは、他方の金属フレーム１Ｂの筒部１Ｂａに外嵌するように寸法設定してある。
そして、互いの筒部１Ａａ，１Ｂａどうしの重なり部に、両者が嵌合した状態で外れ止めを行う係合凸部３と係合凹部４とを振り分けて設けてある。具体的には、一方の筒部１Ａａには、内周面側に突出する状態にプレスした係合凸部３を形成してあり、他方の筒部１Ｂａの対応箇所には、前記係合凸部３が係入自在なパンチ穴からなる係合凹部４が形成してある。これら係合凸部３と係合凹部４とによって係合連結部Ｋが構成されている。
【００１６】
前記フィルタ本体２は、シート状の濾材２ａを屏風状に折り曲げて矩形板形状に成形して構成してある。
具体的には、前記盧材２ａは、合成樹脂の不織布で構成してあり、フィルタとしての適切な隙間が無数に備えさせてある。そして、図３、図４に示すように、ジグザグ状に屈曲させた盧材２ａの隣接するジグザグの山どうし、及び、谷どうしの間には、所定の間隔が保持できるように、合成樹脂製のスペーサ部２ｂが設けてある。このスペーサ部２ｂは、盧材２ａをジグザグ状に屈曲させる際に、溶融して流動状態の合成樹脂を盧材２面に筋状に塗布し、所定の間隔を保持したままで前記合成樹脂を硬化させることで構成してあり、ジグザグピッチを確保する機能と共に、盧材２ａどうしを間隔をあけた状態に接着することでフィルタ本体２全体とした保形性を向上させる機能とを備えている。
【００１７】
また、フィルタ本体２のジグザグの両端部には、各別に帯状の紐状体５を取り付けてある。フィルタ本体２に対する紐状体５の取付位置は、図１、図２に示すように、該当辺の中間部にそれぞれ設定してある。更に詳しくは、両取付位置を結ぶ線が、フィルタ本体２の一辺に平行となるように設定してある。当該実施形態においては、フィルタ本体２の中央部を若干ずらした位置に取り付けてある。
これによって、前記両フレーム１に形成した係合連結部Ｋの位置に紐状体５が干渉するのを避けることができる。
そして、前記紐状体５は、フィルタ本体２を前記フレーム１間に収容した状態で、紐状体５の主要部がフレーム１の両筒部１Ａａ，１Ｂａ間に挟まると共に、先端部が、それら合わせ部Ｔから外部に手で摘むことができる程度に露出する長さに設定してある。
従って、フレーム１から露出した両紐状体５の端部どうしを離間する方向に引っ張ることで、図３に示すように、紐状体５の主要部が、一方のフレーム１Ａの縁部を押し上げると共に、他方のフレーム１Ｂの縁部を押し下げるように作用し、両フレーム１どうしの係合を解除すると共に、上下方向に離間させて外すことができる。
そして、前記紐状体５の両端部を手で摘んだままフィルタ本体２をフレーム１から取り外すこともできる。
【００１８】
〔別実施形態〕
以下に他の実施の形態を説明する。
【００１９】
〈１〉  前記フレーム付き収容物Ｆは、先の実施形態で説明した空調用フィルタＦ１に限るものではなく、例えば、フレーム１そのものは、単に、枠であるもの以外に、容器であってもよい。また、その内部に収容される収容物本体Ｓとしては、フィルタ本体２以外のものであってもよく、それらを含めて、フレーム１、収容物本体Ｓと総称する。
また、収容物本体Ｓがフィルタである場合であっても、別の形式のフィルタ構造であったり、別の素材で構成してあるものを採用することは勿論可能である。
〈２〉  前記紐状体５は、先の実施形態で説明した帯状のものに限るものではなく、形状は自由に設定でき、例えば、糸状であってもよい。
また、紐状体５の数に関しては、先の実施形態で説明したように、収容物本体に取り付けた二本に限るものではなく、例えば、三本以上の複数本であったり、図５に示すように、一本であってもよい。この実施形態は、他方のフレーム１Ｂに収容物本体Ｓを収容した状態で一本の紐状体５を載せ、その上から一方のフレーム１Ａを被せて嵌合させてあり、一本の紐状体５の両端部が、フレーム１の合わせ部Ｔから外部に露出する状態に設けてある。この場合でも、先の実施形態と同様に、紐状体５の両端部を反対方向に引っ張ることで簡単に両フレーム１どうしを外すことができる。そして、この例によれば、収容物本体Ｓに紐状体５を取り付ける必要がないから、製作費を低減することが可能となる。
この様に、前記紐状体５は、必ずしも収容物本体Ｓに取り付けなくてもよく、例えば、図６、図７に示すように、前記他方のフレーム１Ｂに取り付けるものであってもよい。具体的には、他方のフレーム１Ｂの筒部１Ｂａの内周面に、紐状体５の基端部を接着してあり、その紐状体５の主要部が両フレーム１どうしの合わせ部Ｔに介在し、先端部が露出する状態に設けてある。
そして、図７に示すように、紐状体５が位置する両筒部１Ａａ，１Ｂａの合わせ部Ｔに、何れか一方、又は、両方に、紐状体５が納まる凹溝６を形成しておけば、紐状体５を引っ張る際のフレームとの抵抗を少なくでき、スムースにフレーム解除操作を行うことが可能となる。
〈３〉  前記一対のフレーム１は、先の実施形態で説明したように、収容物本体Ｓの厚み方向に嵌合させるものに限らず、例えば、図８に示すように、収容物本体Ｓの幅（又は、長さ）方向に沿って嵌合させる構成をとることも可能である。
この実施形態においては、何れのフレーム１も、先の実施形態で説明した筒部に相当する周部１Ａｃ，１Ｂｃが、三つの辺に対応させて形成してあり、両フレーム１を収容物本体Ｓの幅（又は、長さ）方向に沿って嵌合させることで、三つの周部の内、対向する二辺に位置する周部１Ａｃ，１Ｂｃどうしが合わさる。この二辺の周部が合わせ部Ｔとなる。そして、外嵌する側の一方のフレーム１Ａには、前記周部１Ａｃの縁部が更に屈曲させてあり、他方のフレーム１Ｂが内嵌自在な嵌合溝７が形成されている。また、他方のフレーム１Ｂの合わせ部となる周部１Ｂｃには、それぞれ紐状体５の基端部が接着してある。この実施形態のフレーム付き収容物Ｆも、外部に端部が露出した前記両紐状体５を引っ張ることで、嵌合している両フレーム１は、前記嵌合溝７に沿って互いに離間する状態に移動し、両者の嵌合解除を図ることができる。
【００２０】
尚、上述のように、図面との対照を便利にするために符号を記したが、該記入により本発明は添付図面の構成に限定されるものではない。
【図面の簡単な説明】
【図１】フィルタを示す分解斜視図
【図２】フィルタの嵌合解除操作を示す斜視図
【図３】フィルタの嵌合解除操作を示す断面図
【図４】フィルタの要部を示す断面図
【図５】別実施形態のフィルタを示す分解斜視図
【図６】別実施形態のフィルタを示す分解斜視図
【図７】別実施形態のフィルタを示す斜視図
【図８】別実施形態のフィルタを示す分解斜視図
【図９】従来のフィルタを示す分解斜視図
【符号の説明】
１      フレーム
２      フィルタ本体
５      紐状体
Ｋ      係合連結部
Ｓ      収容物本体
Ｔ      合わせ部
【図１】
2004225962.tif 000003
【図２】
2004225962.tif 000004
【図３】
2004225962.tif 000005
【図４】
2004225962.tif 000006
【図５】
2004225962.tif 000007
【図６】
2004225962.tif 000008
【図７】
2004225962.tif 000009
【図８】
2004225962.tif 000010
【図９】
2004225962.tif 000011